(57)【要約】  課題は、多様なサイズのガラスパネルユニットを、コストを抑えて製造することである。ガラスパネルユニットの製造方法は、準備工程、ピラー配置工程、接合工程、封止工程及び切断工程を備える。準備工程では、第一基板（１）と、第一基板（１）よりも小さな外形を有する第二基板（２）を準備する。ピラー配置工程では、第一基板（１）の上に複数のピラー（４）を配置する。接合工程では、第二基板（２）と第一基板（１）の間に複数のピラー（４）を挟み込んだ状態で、第二基板（２）の周縁部を第一基板（１）に接合する。封止工程では、第二基板（２）と第一基板（１）の間の内部空間（Ｓ１）を、減圧状態で封止する。切断工程では、第一基板（１）を、第二基板（２）の外形に沿って切断する。
2018221208.tif 000002
【特許請求の範囲】
【請求項１】
第一ガラス板を含む第一基板と、第二ガラス板を含み且つ前記第一基板よりも小さな外形を有する第二基板を、準備する準備工程と、
前記第一基板の上に複数のピラーを配置するピラー配置工程と、
前記第二基板を前記第一基板の上方に配置し、前記第二基板と前記第一基板の間に前記複数のピラーを挟み込んだ状態で、前記第二基板の周縁部を前記第一基板に気密に接合する接合工程と、
前記第二基板と前記第一基板の間に形成される内部空間を、減圧状態で封止する封止工程と、
前記第一基板を、前記第二基板の外形に沿って切断する切断工程を備える、
ガラスパネルユニットの製造方法。
【請求項２】
前記第二基板は、低放射膜をさらに含む、
請求項１のガラスパネルユニットの製造方法。
【請求項３】
前記準備工程は、前記第二基板を複数用意する工程であり、
前記接合工程は、前記複数の第二基板を、前記第一基板の上方に並べて配置し、前記複数の第二基板の各々と前記第一基板の間に、前記第一基板の上に配置された前記複数のピラーのうち一部のピラーを挟み込んだ状態で、前記複数の第二基板の各々の周縁部を前記第一基板に気密に接合する工程であり、
前記封止工程は、前記複数の第二基板の各々と前記第一基板の間に形成される内部空間を、減圧状態で封止する工程であり、
前記切断工程は、前記第一基板を、前記複数の第二基板の各々の外形に沿って切断する工程である、
請求項１のガラスパネルユニットの製造方法。
【請求項４】
前記複数の第二基板のうち少なくとも一つは、低放射膜をさらに含む、
請求項３のガラスパネルユニットの製造方法。
【請求項５】
第三ガラス板を含む第三基板を、前記第一基板又は前記第二基板に対して、枠状のシール材を介して気密に接合する第二接合工程を、さらに備える、
請求項１〜４のいずれか一つのガラスパネルユニットの製造方法。
【請求項６】
請求項１〜５のいずれか一つのガラスパネルユニットの製造方法によりガラスパネルユニットを製造する工程と、
前記ガラスパネルユニットを窓枠に嵌め込む嵌め込み工程を備える、
ガラス窓の製造方法。
【発明の詳細な説明】
【技術分野】
【０００１】
本開示は、ガラスパネルユニットの製造方法及びガラス窓の製造方法に関する。
【背景技術】
【０００２】
二つのガラス板の互いの周縁部を接合して、断熱性の高いガラスパネルユニットを製造することが、従来行われている。具体的には、外形が互いに略同一の二つのガラス板を用意し、二つのガラス板の間に複数のピラーを挟んだ状態で、二つのガラス板の周縁部同士を気密に接合して内部空間を形成し、この内部空間を減圧状態で封止することが、従来行われている（特許文献１等参照）。【０００３】
上記した従来の製造方法では、製造したいガラスパネルユニットのサイズに合わせて二つのガラス板を用意し、この二つのガラス板のサイズに適合した設備で、製造のための各工程を行う。そのため、製造したいガラスパネルユニットのサイズごとに、専用の設備が必要になり、製造コストを抑えることが困難になるという問題があった。
【先行技術文献】
【特許文献】
【０００４】
【特許文献１】日本国公開特許公報２００５−２３１９３０号
【発明の概要】
【０００５】
本開示は、多様なサイズのガラスパネルユニットを、コストを抑えて製造することと、多様なサイズのガラス窓を、コストを抑えて製造することを、目的とする。
【０００６】
本開示の一様態に係るガラスパネルユニットの製造方法は、第一ガラス板を含む第一基板と、第二ガラス板を含み且つ前記第一基板よりも小さな外形を有する第二基板を、準備する準備工程と、前記第一基板の上に複数のピラーを配置するピラー配置工程と、前記第二基板を前記第一基板の上方に配置し、前記第二基板と前記第一基板の間に前記複数のピラーを挟み込んだ状態で、前記第二基板の周縁部を前記第一基板に気密に接合する接合工程と、前記第二基板と前記第一基板の間に形成される内部空間を、減圧状態で封止する封止工程と、前記第一基板を、前記第二基板の外形に沿って切断する切断工程を備える。
【０００７】
本開示の一様態に係るガラス窓の製造方法は、前記のガラスパネルユニットの製造方法によりガラスパネルユニットを製造する工程と、前記ガラスパネルユニットを窓枠に嵌め込む嵌め込み工程を備える。
【図面の簡単な説明】
【０００８】
【図１】図１は、第一実施形態のガラスパネルユニットの製造方法の一過程を示す概略斜視図である。
【図２】図２は、同上の製造方法の一過程を示す概略平面図である。
【図３】図３は、図２のＡ−Ａ線断面図である。
【図４】図４は、同上の製造方法の切断工程を示す概略平面図である。
【図５】図５は、第二実施形態のガラスパネルユニットの製造方法の一過程を示す概略斜視図である。
【図６】図６は、同上の製造方法の一過程を示す概略平面図である。
【図７】図７Ａは、同上の製造方法で製造されたガラスパネルユニットの概略平面図である。図７Ｂは、図７ＡのＢ−Ｂ線断面図である。
【図８】図８は、第三実施形態のガラスパネルユニットの製造方法で形成されたガラスパネルユニットの概略平面図である。
【図９】図９は、図８のＣ−Ｃ線断面図である。
【図１０】図１０は、第一実施形態のガラスパネルユニットの製造方法で製造されたガラスパネルユニットを備えるガラス窓の概略平面図である。
【発明を実施するための形態】
【０００９】
［ガラスパネルユニット］
（第一実施形態）
第一実施形態のガラスパネルユニットの製造方法（以下「第一製造方法」という。）について、図１〜図４に基づいて説明する。
【００１０】
第一製造方法は、準備工程、ピラー配置工程、接合工程、封止工程及び切断工程を備える。以下、各工程について順に説明する。
【００１１】
まず、準備工程ついて説明する。
【００１２】
準備工程は、平板状の第一基板１と、第一基板１よりも小さな外形を有する平板状の第二基板２を、準備する工程である。
【００１３】
第一基板１は、平板状の第一ガラス板１００である。第一基板１の厚み方向の一面１１は、第一ガラス板１００の厚み方向の一面である。
【００１４】
第一基板１は、少なくとも一部が第一ガラス板１００であればよい。第一基板１は、全体として透明であるが、半透明や非透明であってもよい。
【００１５】
第二基板２は、平板状の第二ガラス板２００と、第二ガラス板２００の厚み方向の第一の側を覆う低放射膜２０５を備える（図３参照）。第二基板２は、低放射特性がある低放射膜２０５の代わりに、低放射特性以外の他の物理特性を有する膜を備えることも可能である。また、第二基板２において、第二ガラス板２００の厚み方向の第一の側ではなく第二の側（第一の側と反対側）に適宜の物理特性を有する膜が形成されてもよいし、第二ガラス板２００の厚み方向の第一の側と第二の側のそれぞれに適宜の物理特性を有する膜が形成されてもよい。
【００１６】
第二基板２の厚み方向の一面２１は、低放射膜２０５の表面である。第二基板２に低放射膜２０５等の膜が設けられていない場合には、第二基板２の一面２１は、第二ガラス板２００の厚み方向の一面である。
【００１７】
第二基板２は、少なくとも一部が第二ガラス板２００であればよい。第二基板２は、全体として透明であるが、半透明や非透明であってもよい。
【００１８】
第二基板２には、排気孔８が厚み方向に貫通するように形成されている。排気孔８は、第二ガラス板２００と低放射膜２０５を貫通するように形成されている。第一製造方法では、排気孔８は第二基板２に一つ形成されているが、排気孔８が第二基板２に複数形成されてもよいし、排気孔８が第一基板１に一つ又は複数形成されてもよい。
【００１９】
次に、ピラー配置工程について説明する。
【００２０】
ピラー配置工程は、第一基板１の一面１１に、複数のピラー４を所定のパターンで配置する工程である（図１等参照）。
【００２１】
ピラー４は、第一基板１と第二基板２の間隔を、所定間隔に維持する部材であり、ピッキング等の適宜手段で一面１１上に配置する。
【００２２】
図１〜図４は第一製造方法を概略的に示す図であり、各ピラー４の寸法形状、隣接するピラー４の間隔は、実際のものと異なる。同様に、第一基板１と第二基板２の厚み、第一基板１と第二基板２の間隔等は、実際のものと異なる。
【００２３】
次に、接合工程について説明する。
【００２４】
接合工程は、第二基板２を第一基板１の上方に配置し、第二基板２と第一基板１の間に複数のピラー４を挟み込んだ状態で、第二基板２の周縁部を、枠状のシール材５を介して第一基板１に気密に接合する工程である。
【００２５】
シール材５は、第一基板１に複数のピラー４を配置する前段階で、第一基板１の一面１１に塗布してもよいし、複数のピラー４を配置した後に、第一基板１の一面１１に塗布してもよい。複数のピラー４の配置とシール材５の塗布は、同一のタイミングで行ってもよい。
【００２６】
また、シール材５は第二基板２の一面２１に塗布してもよいし、第一基板１と第二基板２を複数のピラー４を介して対向した状態で、第一基板１と第二基板２の間にシール材５を塗布してもよい。
【００２７】
接合工程は、第一基板１と第二基板２を、複数のピラー４とシール材５を挟み込んだ状態で炉内にセットし、全体を加熱する工程である。これにより、炉内でシール材５がいったん溶融され、第二基板２の周縁部が、シール材５を介して第一基板１に気密に接合される。
【００２８】
互いに接合された第一基板１と第二基板２の間には、シール材５によって気密に囲まれた内部空間Ｓ１が形成される。この段階において、内部空間Ｓ１は、排気孔８を通じて外部空間に連通している（図３参照）。
【００２９】
次に、封止工程について説明する。
【００３０】
封止工程は、排気孔８を通じて内部空間Ｓ１を所定の真空度（一例として０．１Ｐａ以下の真空度）に至るまで減圧し、内部空間Ｓ１をその減圧状態を維持したままで封止する工程である。具体的には、例えば排気孔８に気密に連通するように第二基板２に対して図示略の排気ヘッドを接続し、この排気ヘッドを通じて内部空間Ｓ１を減圧した状態で、排気孔８を封止する。第一製造方法では、排気孔８に封止材８５（図４参照）を充填することで排気孔８を封止しているが、他の手段で排気孔８を封止してもよい。
【００３１】
次に、切断工程について説明する。
【００３２】
切断工程は、第一基板１を、第二基板２の外形に沿って切断する工程である。第一基板１の切断には、ガラスカッター、ウォータージェット、レーザー等の適宜手段を用いる。第一基板１は、第二基板２の外形よりも一回り大きな外形を有するので、この切断によって第一基板１から余剰部分１３を除くことで、図４に示すようなガラスパネルユニット９０が得られる。
【００３３】
余剰部分１３は、再利用することが好ましい。第一製造方法において、第一基板１は、低放射膜等が設けられていない第一ガラス板１００から成り、余剰部分１３は、この第一ガラス板１００の一部である。そのため、第一製造方法では、余剰部分１３を再利用しやすいという利点がある。
【００３４】
上記した第一製造方法によれば、製造過程での第一基板１のサイズを標準化して、製造コストを抑制することが可能になる。つまり、第一製造方法では、第一基板１を切断する前の各工程（ピラー配置工程、接合工程、封止工程）用の設備として、標準化されたサイズの第一基板１に適合した設備を用いればよく、共通の設備で、多様なサイズのガラスパネルユニット９０を製造することができる。
【００３５】
また、第一製造方法の切断工程では、第一基板１だけを切断すればよいので、第一基板１と第二基板２を切断する場合に比べて、切断作業が行いやすい。
【００３６】
（第二実施形態）
第二実施形態のガラスパネルユニットの製造方法（以下「第二製造方法」という。）について、図５、図６、図７Ａ、及び図７Ｂに基づいて説明する。第二製造方法に関する以下の説明において、第一製造方法と同様の構成には同一符号を付している。
【００３７】
第二製造方法は、第一製造方法と同様に、準備工程、ピラー配置工程、接合工程、封止工程及び切断工程を備える。
【００３８】
準備工程は、平板状の第一基板１Ａと、第一基板１Ａよりも小さな外形を有する平板状の複数の第二基板２Ａを、準備する工程である。複数の第二基板２Ａは、四つの第二基板２Ａである。
【００３９】
第一基板１Ａは、第一製造方法と同様に、平板状の第一ガラス板１００Ａである。第一基板１Ａの厚み方向の一面１１は、第一ガラス板１００Ａの厚み方向の一面である。第一基板１Ａは、全体として透明であるが、半透明や非透明であってもよい。
【００４０】
複数の第二基板２Ａの各々は、平板状の第二ガラス板２００Ａと、第二ガラス板２００Ａの厚み方向の第一の側を覆う低放射膜２０５Ａを備える（図７Ｂ参照）。複数の第二基板２Ａの各々は、低放射特性がある低放射膜２０５Ａの代わりに、低放射特性以外の他の物理特性を有する膜を備えることも可能である。複数の第二基板２Ａの各々において、第二ガラス板２００Ａの厚み方向の第一の側ではなく第二の側に適宜の物理特性を有する膜が形成されてもよいし、第二ガラス板２００Ａの厚み方向の第一の側と第二の側のそれぞれに適宜の物理特性を有する膜が形成されてもよい。
【００４１】
また、複数の第二基板２Ａは、低放射膜２０５Ａを備える第二基板２Ａと、低放射膜２０５Ａを備えない第二基板２Ａを含んでもよい。複数の第二基板２Ａの各々は、全体として透明であるが、半透明や非透明であってもよい。
【００４２】
複数の第二基板２Ａの各々には、第二ガラス板２００Ａと低放射膜２０５Ａを貫通するように、排気孔８が形成されている。第二製造方法では、排気孔８は複数の第二基板２Ａの各々に一つ形成されているが、排気孔８が複数の第二基板２Ａの各々に複数形成されてもよい。
【００４３】
また、第一基板１Ａに、複数の排気孔８が形成されてもよい。この場合、第一基板１Ａのうち、複数の第二基板２Ａと一対一で対向する各部分に、一つ又は複数の排気孔８が形成される。
【００４４】
ピラー配置工程は、第一基板１Ａの一面１１のうち、複数の第二基板２Ａと一対一で対向する各領域に、複数のピラー４を所定のパターンで配置する工程である（図５等参照）。
【００４５】
図５、図６、図７Ａ、及び図７Ｂは、第二製造方法を概略的に示す図であり、各ピラー４の寸法形状、隣接するピラー４の間隔は、実際のものと異なる。同様に、第一基板１Ａと複数の第二基板２Ａの各々の厚み、第一基板１Ａと複数の第二基板２Ａの各々の間隔等は、実際のものと異なる。
【００４６】
接合工程は、複数の第二基板２Ａを第一基板１Ａの上方に配置し、複数の第二基板２Ａの各々と第一基板１Ａの間に複数のピラー４を挟み込んだ状態で、複数の第二基板２Ａの各々の周縁部を、枠状のシール材５Ａを介して第一基板１Ａに気密に接合する工程である。
【００４７】
各シール材５Ａは、第一基板１Ａに複数のピラー４を配置する前段階で、第一基板１Ａの一面１１に塗布してもよいし、複数のピラー４を配置した後に、第一基板１Ａの一面１１に塗布してもよい。複数のピラー４の配置と、複数のシール材５Ａの塗布は、同一のタイミングで行ってもよい。また、複数の第二基板２Ａの各々の一面２１にシール材５Ａを塗布してもよい。
【００４８】
接合工程は、第一基板１Ａと複数の第二基板２Ａの各々を、複数のピラー４とシール材５Ａを挟み込んだ状態で炉内にセットし、全体を加熱する工程である。これにより、複数の第二基板２Ａの各々の周縁部が、シール材５Ａを介して第一基板１Ａに気密に接合される。
【００４９】
互いに接合された第一基板１Ａと複数の第二基板２Ａの各々との間には、シール材５Ａによって気密に囲まれた内部空間Ｓ１が形成される。
【００５０】
接合工程が完了した段階において、内部空間Ｓ１は、排気孔８を通じて外部空間に連通している。
【００５１】
封止工程は、複数の第二基板２Ａの各々と第一基板１Ａの間の内部空間Ｓ１を、排気孔８を通じて所定の真空度（一例として０．１Ｐａ以下の真空度）に至るまで減圧し、内部空間Ｓ１をその減圧状態を維持したままで封止する工程である。具体的には、例えば排気孔８に対して気密に連通するように複数の第二基板２Ａの各々に図示略の排気ヘッドを接続し、この排気ヘッドを通じて内部空間Ｓ１を減圧した状態で、排気孔８を封止する。第二製造方法では、各排気孔８に封止材８５（図６参照）を充填することで、各排気孔８を封止しているが、複数の排気孔８の全て又は一部を、他の手段で封止してもよい。
【００５２】
封止工程が完了した段階において、第一基板１Ａの一面１１上に配置される複数のシール材５Ａのうち、隣接する二つのシール材５Ａの間には、僅かに隙間があけられている。同様に、第一基板１Ａに対向する複数の第二基板２Ａのうち、隣接する二つの第二基板２Ａの間には、僅かに隙間があけられている。
【００５３】
切断工程は、第一基板１Ａを、複数の第二基板２Ａの各々の外形に沿って切断する工程である。第一基板１Ａの切断には、ガラスカッター、ウォータージェット、レーザー等の適宜手段を用いる。
【００５４】
第二製造方法では、四つの第二基板２Ａが、互いに僅かな隙間をあけてマトリクス状に配置されている。そのため、四つの第二基板２Ａのうち隣接する二つの第二基板２Ａの間の隙間を通過する切断線Ｌ１，Ｌ２に沿って第一基板１Ａを切断することで、図７Ａに示すようなガラスパネルユニット９０Ａが四つ得られる。
【００５５】
つまり、第二製造方法によって製造される複数のガラスパネルユニット９０Ａの各々は、第一基板１Ａを複数に分割（本実施形態では四分割）したうちの一つの基板（以下「分割基板１５」という。）と、この分割基板１５に対向する一つの第二基板２Ａと、複数のピラー４と、枠状のシール材５Ａを備える。複数のピラー４は、分割基板１５と第二基板２Ａの間に挟まれて位置し、分割基板１５と第二基板２Ａの間の距離を維持する。シール材５Ａは、複数のピラー４を全周にわたって囲む位置で、分割基板１５と第二基板２Ａに気密に接合されている。分割基板１５、第二基板２Ａ及びシール材５Ａに囲まれる内部空間Ｓ１は、所定の真空度に至るまで減圧された減圧空間である。
【００５６】
なお、第二製造方法では、第一基板１Ａに余剰部分（最終的に得られるガラスパネルユニット９０Ａに含まれない部分）が生じないが、余剰部分が生じることも有り得る。この場合は、第一基板１Ａの余剰部分は、再利用することが好ましい。第二製造方法においても、第一基板１Ａは、低放射膜が設けられていない第一ガラス板１００Ａから成るので、余剰部分を再利用しやすいという利点がある。
【００５７】
上記した第二製造方法によれば、製造過程での第一基板１Ａのサイズを標準化して、製造コストを抑制することが可能になる。つまり、第二製造方法では、第一基板１Ａを切断して多面取りする前の各工程（ピラー配置工程、接合工程、封止工程）用の設備として、標準化されたサイズの第一基板１Ａに適合した設備を用いればよく、共通の設備で、多様なサイズのガラスパネルユニット９０Ａを効率的に製造することができる。
【００５８】
また、第二製造方法の切断工程では、多面取りを行う際に第一基板１Ａだけを切断すればよいので、第一基板１Ａと第二基板２Ａを切断する場合に比べて、切断作業が行いやすい。
【００５９】
（第三実施形態）
第三実施形態のガラスパネルユニットの製造方法（以下「第三製造方法」という。）について、図８及び図９に基づいて説明する。
【００６０】
第三製造方法は、第一製造方法の各工程に加えて、第二接合工程を備える。第二接合工程は、切断工程の後に行われる。以下の説明において、第一製造方法と同様の構成には同一符号を付している。
【００６１】
第二接合工程は、第二基板２に対して、枠状のシール材５２を介して第三基板３を接合する工程である。
【００６２】
第三基板３は、第三ガラス板３００である。第三基板３は、少なくとも一部が第三ガラス板３００であればよく、第三ガラス板３００の厚み方向の両側又は片側に、適宜の物理特性を有する膜が形成されてもよい。第三基板３は、全体として透明であるが、半透明や非透明であってもよい。
【００６３】
シール材５２は、第二基板２と第三基板３の互いの周縁部を全周に亘って気密に接合する。これにより、第二基板２と第三基板３の互いの対向面の間には、密閉された空間Ｓ２が形成される。
【００６４】
第三基板３は、第二基板２に対向するか、又は、第一基板１のうち余剰部分１３を除去した主要部分１７に対向すればよい。図示は省略するが、第三基板３が第一基板１の主要部分１７に対向する場合には、シール材５２が、主要部分１７と第三基板３の互いの周縁部に接合され、主要部分１７と第三基板３の間に密閉された空間Ｓ２が形成される。
【００６５】
図９に示すように、シール材５２の内側には、枠状のスペーサ５６が配置されている。スペーサ５６は、周方向の少なくとも一部に中空部分を有する。スペーサ５６の中空部分には、乾燥剤５７が充填されている。
【００６６】
スペーサ５６はアルミニウム等の金属で形成され、その内周側の部分に貫通孔５６１を有する。スペーサ５６の中空部分は、貫通孔５６１を介して空間Ｓ２に連通する。乾燥剤５７は、例えばシリカゲルである。シール材５２は、例えばシリコン樹脂、ブチルゴム等の高気密性の樹脂で形成されることが好ましい。
【００６７】
空間Ｓ２は、第二基板２（又は第一基板１の主要部分１７）と第三基板３とシール材５２で密閉された空間である。空間Ｓ２には、乾燥ガスが充填される。乾燥ガスは、例えばアルゴン等の乾燥した希ガス、乾燥空気等である。乾燥空気には、空間Ｓ２に封入された後に乾燥剤５７の作用で乾燥した空気も含まれる。
【００６８】
第三製造方法で製造されたガラスパネルユニット９０Ｂにおいては、厚み方向の両端に位置する第三基板３と第一基板１の主要部分１７（又は第二基板２）の間に、所定の真空度に至るまで減圧された内部空間Ｓ１と、乾燥ガスが充填された空間Ｓ２が介在する。これにより、第三製造方法で製造されたガラスパネルユニット９０Ｂは、さらに高い断熱性を発揮する。
【００６９】
なお、第三製造方法では、第一製造方法の各工程に加えて、第二接合工程を備えているが、第二製造方法の各工程に加えて、第二接合工程を備えることも可能である。この場合も、切断工程後に、第二基板２（又は分割基板１５）に対してシール材５２を介して第三基板３を気密に接合することで、ガラスパネルユニット９０Ｂの断熱性がさらに高められる。
【００７０】
［ガラス窓］
図１０に示すガラス窓９は、第一製造方法で製造されたガラスパネルユニット９０と、窓枠９５を備える。ガラス窓９は、多様な用途に使用可能であり、例えばショーウィンドウに用いることも可能である。
【００７１】
ガラス窓９は、平面視矩形状であるガラスパネルユニット９０を、矩形枠状の窓枠９５に嵌め込んだ構造であり、高い断熱性を有する。ガラス窓９を正面から視たとき（厚み方向から視たとき）に、ガラスパネルユニット９０のシール材５は、窓枠９５に隠れる位置にある。さらに、ガラスパネルユニット９０の排気孔８と排気孔８を塞ぐ封止材８５が、ガラス窓９を正面から視たときに窓枠９５に隠れる位置にあってもよい。
【００７２】
ガラス窓９の製造方法は、第一製造方法によりガラスパネルユニット９０を製造する工程と、ガラスパネルユニット９０を窓枠９５に嵌め込む嵌め込み工程を備える。
【００７３】
なお、窓枠９５に嵌め込む対象は、第一製造方法で製造されたガラスパネルユニット９０に限定されない。第二製造方法又は第三製造方法で製造されたガラスパネルユニット９０Ａ，９０Ｂを窓枠９５に嵌め込むことも可能である。この場合も、高い断熱性を有するガラス窓９が得られる。
【００７４】
以上、ガラスパネルユニットの製造方法及びガラス窓の製造方法について、添付図面に示す各実施形態に基づいて説明したが、各実施形態において適宜の設計変更を行うこと、及び各実施形態の構成を適宜組み合わせて適用することは、当然に可能である。
【００７５】
［各態様の作用効果］
上述した各実施形態から理解されるように、第１の態様のガラスパネルユニットの製造方法は、準備工程と、ピラー配置工程と、接合工程と、封止工程と、切断工程を備える。準備工程は、第一ガラス板（１００；１００Ａ）を含む第一基板（１；１Ａ）と、第二ガラス板（２００；２００Ａ）を含み且つ第一基板（１；１Ａ）よりも小さな外形を有する第二基板（２；２Ａ）を、準備する工程である。ピラー配置工程は、第一基板（１；１Ａ）の上に複数のピラー（４）を配置する工程である。接合工程は、第二基板（２；２Ａ）を第一基板（１；１Ａ）の上方に配置し、第二基板（２；２Ａ）と第一基板（１；１Ａ）の間に複数のピラー（４）を挟み込んだ状態で、第二基板（２；２Ａ）の周縁部を第一基板（１；１Ａ）に気密に接合する工程である。封止工程は、第二基板（２；２Ａ）と第一基板（１；１Ａ）の間に形成される内部空間（Ｓ１）を、減圧状態で封止する工程である。切断工程は、第一基板（１；１Ａ）を、第二基板（２；２Ａ）の外形に沿って切断する工程である。
【００７６】
第１の態様のガラスパネルユニットの製造方法によれば、標準化されたサイズの第一基板（１；１Ａ）を用い、第一基板（１；１Ａ）に対して各工程を施すことによって、多様なサイズのガラスパネルユニット（９０；９０Ａ）が得られる。そのため、共通の設備を用いて、多様なサイズのガラスパネルユニット（９０；９０Ａ）を製造することができ、製造コストの抑制が図られる。また、切断工程では、第一基板（１；１Ａ）だけを切断すればよいので、切断作業が行いやすい。
【００７７】
第２の態様のガラスパネルユニットの製造方法では、第１の態様において、下記の構成を付加的に備える。第２の態様のガラスパネルユニットの製造方法では、第二基板（２；２Ａ）は、低放射膜（２０５；２０５Ａ）をさらに含む。
【００７８】
第２の態様のガラスパネルユニットの製造方法によれば、製造されるガラスパネルユニット（９０；９０Ａ）の断熱性を高めることができる。しかも、切断工程において切断される第一基板（１；１Ａ）ではなく、第二基板（２；２Ａ）に低放射膜（２０５；２０５Ａ）を設けているので、第一基板（１；１Ａ）の切断後の余剰部分（１３）を再利用しやすいという利点がある。
【００７９】
第３の態様のガラスパネルユニットの製造方法では、第１の態様において、下記の構成を付加的に備える。第３の態様のガラスパネルユニットの製造方法では、準備工程は、第二基板（２Ａ）を複数用意する工程である。接合工程は、複数の第二基板（２Ａ）を、第一基板（１Ａ）の上方に並べて配置し、複数の第二基板（２Ａ）の各々と第一基板（１Ａ）の間に、第一基板（１Ａ）の上に配置された複数のピラー（４）のうち一部のピラー（４）を挟み込んだ状態で、複数の第二基板（２Ａ）の各々の周縁部を第一基板（１Ａ）に気密に接合する工程である。封止工程は、複数の第二基板（２Ａ）の各々と第一基板（１Ａ）の間に形成される内部空間（Ｓ１）を、減圧状態で封止する工程である。切断工程は、第一基板（１Ａ）を、複数の第二基板（２Ａ）の各々の外形に沿って切断する工程である。
【００８０】
第３の態様のガラスパネルユニットの製造方法によれば、標準化されたサイズの第一基板（１Ａ）を用い、第一基板（１Ａ）に対して各工程を施すことによって、多様なサイズのガラスパネルユニット（９０Ａ）を複数同時に製造することができる。そのため、設備の共通化によって製造コストが抑制される。また、切断工程では、第一基板（１Ａ）だけを切断すればよいので、切断作業が行いやすい。
【００８１】
第４の態様のガラスパネルユニットの製造方法では、第３の態様において、下記の構成を付加的に備える。第４の態様のガラスパネルユニットの製造方法では、複数の第二基板（２Ａ）のうち少なくとも一つは、低放射膜（２０５Ａ）をさらに含む。
【００８２】
第４の態様のガラスパネルユニットの製造方法によれば、製造される複数のガラスパネルユニット（９０Ａ）のうち少なくとも一つの断熱性を高めることができる。しかも、切断工程において切断される第一基板（１Ａ）ではなく、第二基板（２Ａ）に低放射膜（２０５Ａ）を設けているので、第一基板（１Ａ）の切断後の余剰部分を再利用しやすいという利点がある。
【００８３】
第５の態様のガラスパネルユニットの製造方法では、第１乃至第４のいずれか一つの態様において、下記の構成を付加的に備える。第５の態様のガラスパネルユニットの製造方法は、第二接合工程をさらに備える。第二接合工程は、第三ガラス板（３００）を含む第三基板（３）を、第一基板（１；１Ａ）又は第二基板（２；２Ａ）に対して、枠状のシール材（５２）を介して気密に接合する工程である。
【００８４】
第５の態様のガラスパネルユニットの製造方法によれば、さらに断熱性の高いガラスパネルユニット（９０Ｂ）を製造することができる。
【００８５】
上述した各実施形態から理解されるように、第６の態様のガラス窓の製造方法は、下記の構成を付加的に備える。第６の態様のガラス窓の製造方法は、第１乃至第５のいずれか一つの態様のガラスパネルユニットの製造方法によりガラスパネルユニット（９０；９０Ａ；９０Ｂ）を製造する工程と、ガラスパネルユニット（９０；９０Ａ；９０Ｂ）を窓枠（９５）に嵌め込む嵌め込み工程を備える。
【００８６】
第６の態様のガラス窓の製造方法によれば、断熱性の高いガラス窓（９）を、製造コストを抑えて製造することができる。
【符号の説明】
【００８７】
１，１Ａ  第一基板
１００，１００Ａ  第一ガラス板
２，２Ａ  第二基板
２００，２００Ａ  第二ガラス板
２０５，２０５Ａ  低放射膜
３  第三基板
３００  第三ガラス板
４  ピラー
５２  シール材
９  ガラス窓
９０，９０Ａ，９０Ｂ  ガラスパネルユニット
９５  窓枠
Ｓ１  内部空間
【図１】
2018221208.tif 000003
【図２】
2018221208.tif 000004
【図３】
2018221208.tif 000005
【図４】
2018221208.tif 000006
【図５】
2018221208.tif 000007
【図６】
2018221208.tif 000008
【図７】
2018221208.tif 000009
【図８】
2018221208.tif 000010
【図９】
2018221208.tif 000011
【図１０】
2018221208.tif 000012
【国際調査報告】
2018221208.tif 000013
2018221208.tif 000014
2018221208.tif 000015